(57)【特許請求の範囲】
【請求項１】
天面壁と該天面壁から垂下する円筒状スカート壁とを具備し、該スカート壁の内周面には雌螺条と該雌螺条の下方に位置する係止手段が形成されている合成樹脂製容器蓋において、
該スカート壁には、その下端から上方に向けて延びるスリットが周方向に間隔をおいて複数個形成されており、
該スカート壁の下部を囲繞する環状タンパーエビデントバンドが配設されており、該環状タンパーエビデントバンドは周方向に間隔をおいて配設された複数個の橋絡部を介して該スカート壁に接続されており、
該スカート壁の外周面と該環状タンパーエビデントバンドの内周面とは、一体に成形した後に周方向に連続して切断することによって分離された相互密着面を有する、
ことを特徴とする合成樹脂製容器蓋。
【請求項２】
該環状タンパーエビデントバンドの内周面には、半径方向内方に突出する突出片が周方向に間隔をおいて複数個形成されており、
該スカート壁の外周面には半径方向外方に張り出し且つ周方向に連続的に延びる環状である張出部が形成されており、該環状タンパーエビデントバンドの内周面にも該スカート壁の外周面における該張出部に対応して半径方向内方に張り出し且つ周方向に連続的に延びる環状である張出部が形成されており、該スカート壁の該張出部と該環状タンパーエビデントバンドの該張出部が該相互密着面を構成しており、
該突出片は該環状タンパーエビデントバンドの該張出部の下方に配設されており、半径方向内方に向けて下方に傾斜して突出せしめられており、該橋絡部を破断する前の状態においては該スカート壁の該張出部は該突出片よりも上方に配設されているが、該橋絡部を破断せしめて該環状タンパーエビデントバンドを該スカート壁に対して上昇せしめると、該突出片は弾性的に変形せしめられて該張出部を乗り越えてその上方に移動せしめられて弾性的に復元され、該張出部が該突出片に干渉することによって該環状タンパーエビデントバンドが該スカート壁に対して下降することが防止される、
請求項１記載の合成樹脂製容器蓋。
【請求項３】
円筒状外周面に雄螺条と該雄螺条の下方に位置する環状係止あご部とが形成されている口頸部を備えた容器と、天面壁と該天面壁から垂下する円筒状スカート壁とを具備し、該スカート壁の内周面には雌螺条と該雌螺条の下方に位置する係止手段とが形成されており、該雌螺条を該雄螺条に螺合せしめると共に、該係止手段を該係止あご部に係止せしめることによって該口頸部に装着される合成樹脂製容器蓋との組合せにおいて、
該容器蓋の該スカート壁には、その下端から上方に向けて延びるスリットが周方向に間隔をおいて複数個形成されており、
該スカート壁の下部を囲繞する環状タンパーエビデントバンドが配設されており、該環状タンパーエビデントバンドは周方向に間隔をおいて配設された複数個の橋絡部を介して該スカート壁に接続されており、
該スカート壁の外周面と該環状タンパーエビデントバンドの内周面とは、一体に成形した後に周方向に連続して切断することによって分離された相互密着面を有し、
該口頸部の外周面には、該係止あご部の下方において半径方向外方に突出し、該容器蓋の該スカート壁に干渉して該口頸部に対する該容器蓋の回転に抵抗する少なくとも１個の干渉片が形成されている、
ことを特徴とする組合せ。
【発明の詳細な説明】
【０００１】
【発明の属する技術分野】
本発明は、タンパーエビデント特性（容器蓋を操作して容器の口頸部を一旦開封すると、かかる操作の痕跡が残留せしめられる特性）を備えた合成樹脂製容器蓋、及びかような合成樹脂製容器蓋と容器との組合せに関する。
【０００２】
【従来の技術】
飲食料等のための容器に適用される容器蓋として、近時においては、タンパーエビデント特性を備えた合成樹脂製容器蓋が広く実用に供されている。かような容器蓋の典型例としては、特公昭６２−１８４２１号公報、特公平５−８５４２２号公報、及び特開平６−２４４５８号公報に開示されている形態の容器蓋を挙げることができる。かかる容器蓋は天面壁とこの天面壁から垂下する円筒状スカート壁とを具備する。スカート壁には周方向に延びる周方向破断ラインが形成されており、スカート壁は周方向破断ラインよりも上方の主部と周方向破断ラインよりも下方のタンパーエビデント裾部とに区画されている。周方向破断ラインは周方向に間隔をおいて周方向に延びる複数個のスリットとかかるスリット間に残留せしめられている複数個の橋絡部とから構成されている。スカート壁の主部の内周面には雌螺条が形成され、タンパーエビデント裾部の内周面には係止手段が形成されている。係止手段は半径方向内方に膨出する突条或いは半径方向内方に延出するフラップ片等から構成される。
【０００３】
上述したとおりの容器蓋は、外周面に雄螺条とこの雄螺条の下方に位置する環状係止あご部が形成されている、容器の口頸部に適用される。容器の口頸部に容器蓋を装着して口頸部を密封する際には、口頸部に容器蓋を被嵌して閉方向に回転せしめて容器の雌螺条を口頸部の雄螺条に螺合せしめる。雌螺条と雄螺条との螺合に応じて、口頸部に対して容器蓋が漸次下降せしめられ、容器蓋のタンパーエビデント裾部に形成されている係止手段はそれ自身の弾性変形及び／又はタンパーエビデント裾部の弾性変形によって半径方向外方に変位して口頸部の環状係止あご部を通過し、しかる後に弾性的に復元して係止あご部に係止せしめられる。容器蓋の天面壁の内面にはシール手段が配設されており、口頸部に容器蓋が所要とおりに装着されると、シール手段が口頸部に密接せしめられ、かくして口頸部が密封される。
【０００４】
容器の口頸部を開封する際には、容器蓋を開方向に回転せしめる。かくすると、容器蓋の雌螺条と口頸部の雄螺条との協働により、容器蓋は開方向への回転に応じて漸次上昇せしめられる。口頸部に対して容器蓋が若干上昇せしめられると、タンパーエビデント裾部に形成されている係止手段が口頸部の係止あご部に密接せしめられ、これによってタンパーエビデント裾部の上昇が阻止される。しかる後においては、容器蓋の開方向への回転に応じてスカート壁に形成されている周方向破断ラインにおける橋絡部に引張応力が生成され、全ての橋絡部が破断されてタンパーエビデント裾部がスカート壁の主部から分離され、或いは１個又は数個の強化橋絡部は破断されることなく残留せしめられ、タンパーエビデント裾部に形成されている軸線方向破断ラインが破断されてタンパーエビデント裾部が無端環状から有端帯状に展開される。そして、タンパーエビデント裾部を口頸部に残留せしめて容器蓋のその他の部分が口頸部から離脱され、或いはタンパーエビデント裾部を含む容器蓋の全体が口頸部から離脱され、かくして口頸部が開封される。
【０００５】
【発明が解決しようとする課題】
而して、上述したとおりの従来の容器蓋及びこれと容器の組合せには、次のとおりの解決すべき問題が存在する。
【０００６】
容器の口頸部を開封するために容器蓋を開方向に回転せしめる時に、容器蓋の係止手段が口頸部の係止あご部に密接せしめられた後においても、橋絡部の伸長に起因して容器蓋が相当角度回転されるまで橋絡部が破断されない。それ故に、橋絡部が破断される直前まで開方向に回転したが、更に開方向に回転することなくそのまま放置した場合、口頸部に対する容器蓋のシール手段の密接圧が低減されて口頸部の密封が毀損されたにもかかわらず、橋絡部は全く破断されることなく残留する、という事態が発生する虞がある。
【０００７】
また、容器の口頸部に被嵌した容器蓋を閉方向に回転せしめて口頸部に装着する際、容器蓋の係止手段が口頸部の係止あご部を通過する時に橋絡部に相当な応力が生成され、これに起因して橋絡部が破断されてしまうことがある。かかる問題を解決するためには、橋絡部の破断強度を大きくすることが意図されるが、かくすると容器蓋を口頸部から離脱する際に橋絡部を破断するために必要とされる開封必要力が相当大きくなり、特に子供及び女性にとって口頸部の開封が困難になる。
【０００８】
更に、容器の口頸部にタンパーエビデント裾部を残留せしめることなく容器蓋の全体を口頸部から除去するためには、タンパーエビデント裾部に軸線方向破断ラインを形成し、口頸部の開封の際にかかる軸線方向破断ラインが確実に破断されるようになすことが必要である。しかしながら、当業者には周知の如く、軸線方向破断ラインが意図したとおりに破断されることなく、開封の際には破断されることなく維持されることが意図されている所謂非破断橋絡部を含む全ての橋絡部が破断され、従ってタンパーエビデント裾部がスカート壁の主部から分離され、口頸部に残留せしめられてしまうことが少なくない。口頸部に残留せしめられたタンパーエビデント裾部の内周面には口頸部の係止あご部に係止せしめられる係止手段が配設されている故に、形成材料が異なる容器と容器蓋との分別収集等のために、口頸部からそこに残留せしめられたタンパーエビデント裾部を除去するためには、鋏等を使用してタンパーエビデント裾部を軸線方向に切断して無端環状から有端帯状に展開せしめる等の煩雑な操作を遂行することが必要である。開封の際の非破断橋絡部の破断を回避するためには非破断橋絡部の破断強度を増大せしめることも意図され得るが、容器蓋を口頸部から一旦離脱せしめた後に口頸部に容器蓋を装着して口頸部を一時的に再密封するためには、非破断橋絡部を破断せしめてタンパーエビデント裾部をスカート壁の主部から分離することが必要であり、それ故に非破断橋絡部の強度を過剰に増大せしめることは回避されなければならない。
【００１０】
本発明は上記事実に鑑みてなされたものであり、その第一の技術的課題は、橋絡部の破断を伴うことなく容器蓋が相当角度回転せしめられて口頸部の密封が毀損されてしまうことが充分確実に回避されるようにせしめることである。
【００１１】
本発明の第二の技術的課題は、橋絡部の破断強度を過剰に大きくして口頸部の開封の際の必要力を増大せしめることなく、口頸部に容器蓋を装着する際に橋絡部が破断されてしまうことが充分に回避されるようにせしめることである。
【００１２】
本発明の第三の技術的課題は、容器の口頸部を開封する際には容器蓋の全体が口頸部から確実且つ容易に除去され得るようにせしめることである。
【００１４】
【課題を解決するために手段】
上記第一乃至第三の技術的課題を解決するために、本発明においては、スカート壁に周方向に延びる周方向破断ラインを形成することに代えて、スカート壁にその下端から上方に向けて延びるスリットを周方向に間隔をおいて複数個形成し、そしてまたスカート壁の下部を囲繞する環状タンパーエビデントバンドを配設し、かかる環状タンパーエビデントバンドを周方向に間隔をおいて配設された複数個の橋絡部を介してスカート壁に接続し、そして更に該スカート壁の外周面と該環状タンパーエビデントバンドの内周面とには、一体に成形した後に周方向に連続して切断することによって分離された相互密着面を形成する。
【００１５】
即ち、本発明によれば、上記第一乃至第三の技術的課題を達成する合成樹脂製容器蓋として、天面壁と該天面壁から垂下する円筒状スカート壁とを具備し、該スカート壁の内周面には雌螺条と該雌螺条の下方に位置する係止手段が形成されている合成樹脂製容器蓋において、
該スカート壁には、その下端から上方に向けて延びるスリットが周方向に間隔をおいて複数個形成されており、
該スカート壁の下部を囲繞する環状タンパーエビデントバンドが配設されており、該環状タンパーエビデントバンドは周方向に間隔をおいて配設された複数個の橋絡部を介して該スカート壁に接続されており、
該スカート壁の外周面と該環状タンパーエビデントバンドの内周面とは、一体に成形した後に周方向に連続して切断することによって分離された相互密着面を有する、
ことを特徴とする合成樹脂製容器蓋が提供される。
【００１６】
好ましくは、該環状タンパーエビデントバンドの内周面には、半径方向内方に突出する突出片が周方向に間隔をおいて複数個形成されており、該スカート壁の外周面には半径方向外方に張り出し且つ周方向に連続的に延びる環状である張出部が形成されており、該環状タンパーエビデントバンドの内周面にも該スカート壁の外周面における該張出部に対応して半径方向内方に張り出し且つ周方向に連続的に延びる環状である張出部が形成されており、該スカート壁の該張出部と該環状タンパーエビデントバンドの該張出部が該相互密着面を構成しており、該突出片は該環状タンパーエビデントバンドの該張出部の下方に配設されており、半径方向内方に向けて下方に傾斜して突出せしめられており、該橋絡部を破断する前の状態においては該スカート壁の該張出部は該突出片よりも上方に配設されているが、該橋絡部を破断せしめて該環状タンパーエビデントバンドを該スカート壁に対して上昇せしめると、該突出片は弾性的に変形せしめられて該張出部を乗り越えてその上方に移動せしめられて弾性的に復元され、該張出部が該突出片に干渉することによって該環状タンパーエビデントバンドが該スカート壁に対して下降することが防止される
【００２０】
更に、上記第一乃至第三の技術的課題を達成する合成樹脂製容器蓋と容器との組合せとして、本発明によれば、円筒状外周面に雄螺条と該雄螺条の下方に位置する環状係止あご部とが形成されている口頸部を備えた容器と、天面壁と該天面壁から垂下する円筒状スカート壁とを具備し、該スカート壁の内周面には雌螺条と該雌螺条の下方に位置する係止手段とが形成されており、該雌螺条を該雄螺条に螺合せしめると共に、該係止手段を該係止あご部に係止せしめることによって該口頸部に装着される合成樹脂製容器蓋との組合せにおいて、
該容器蓋の該スカート壁には、その下端から上方に向けて延びるスリットが周方向に間隔をおいて複数個形成されており、
該スカート壁の下部を囲繞する環状タンパーエビデントバンドが配設されており、該環状タンパーエビデントバンドは周方向に間隔をおいて配設された複数個の橋絡部を介して該スカート壁に接続されており、
該スカート壁の外周面と該環状タンパーエビデントバンドの内周面とは、一体に成形した後に周方向に連続して切断することによって分離された相互密着面を有し、
該口頸部の外周面には、該係止あご部の下方において半径方向外方に突出し、該容器蓋の該スカート壁に干渉して該口頸部に対する該容器蓋の回転に抵抗する少なくとも１個の干渉片が形成されている、
ことを特徴とする組合せが提供される。
【００２４】
【発明の実施の形態】
以下、本発明に従って構成された合成樹脂製容器蓋の好適実施形態について、添付図面を参照して更に詳細に説明する。
【００２５】
図１乃至図３は、本発明に従って構成された容器蓋の好適実施形態を図示している。全体を番号２で示す容器蓋は、ポリプロピレン又はポリエチレンの如き適宜の合成樹脂から一体に形成されている。かかる容器蓋２は、円形天面壁４とこの天面壁４の周縁から垂下する円筒状スカート壁６とを具備している。図１に明確に図示する如く、天面壁４の内面にはシール手段８が形成されている。かかるシール手段８は外側環状シール突条１０、中間環状シール突条１２及び内側環状シール突条１４から構成されている。所望ならば、シール手段８を天面壁４と一体に形成することに代えて、天面壁４の内面において適宜の合成樹脂からシール手段を型押成形する、或いは全く別個に成形したシール手段を天面壁４の内面に挿入することもできる。スカート壁５の外周面（更に詳しくは、外周面の、後述する張出部よりも上方の部分）には、そこに掛けられる指の滑りを防止するための凹凸１５が形成されている。スカート壁６の内周面の、上下方向略中間部には、雌螺条１６が形成されている。
【００２６】
図１と共に図３を参照することによって明確に理解されるとおり、スカート壁６には、その下端から実質上鉛直に上方に延びるスリット１８が、周方向に間隔をおいて複数個、更に詳しくは周方向に等間隔をおいて１２個形成されている。スリット１８の各々は、０．５乃至１．５ｍｍ程度でよい周方向幅Ｗ１と、５乃至７ｍｍ程度でよい軸線方向長さＬ１とを有する。スカート壁６の内周面には係止手段２０も形成されている。この係止手段２０は、上下方向においてスリット１８の略中間部に配置され、スリット１８が存在する部位を除いて周方向に実質上連続して延びる突条から構成されている。突条の横断面形状は略半円形状でよい。スカート壁６の下端部外周面には、半径方向外方に張り出した張出部２２が形成されている。この張出部２２は、上下方向において、スカート壁６の内周面に形成されている上記係止手段２０に整合せしめられて配置されており、周方向に連続して環状に延在せしめられている。
【００２７】
図１乃至図３を参照して説明を続けると、容器蓋２には、更に、スカート壁６の下端部を囲繞する環状タンパーエビデントバンド２４も配設されている。スカート壁６の外周面に形成されている上記張出部２２に対応せしめて、環状タンパーエビデントバンド２４の内周面上端部には、半径方向内方に張り出した張出部２６が形成されている。この張出部２６も周方向に連続して延在せしめられている。張出部２２と張出部２６とは容器蓋２を適宜の合成樹脂から圧縮成形又は射出成形する際には一体に成形され、かかる成形の後に両者間を周方向に連続して環状に切断することによって分離される。図１乃至図３には、圧縮成形又は射出成形の後に遂行される切断を切断線２８で示している。かかる切断は鋭利な切断刃を使用して遂行され、張出部２２の外周面と張出部２６の内周面とは相互に密接する密着面を規定している。張出部２２と張出部２６とには、周方向に間隔をおいて複数個、更に詳しくは周方向に等間隔をおいて１２個の下方に延出する延出部が配設されている。かかる延出部も、容器蓋２を適宜の合成樹脂から圧縮成形又は射出成形する際に一体に成形される。図１及び図２を参照することによって明確に理解される如く、上記切断線は延出部の上端部で終了せしめられており、延出部の主部は切断されておらず、スカート壁６の外周面と環状タンパーエビデントバンド２４の内周面とを相互に接続している橋絡部３０を構成している。環状タンパーエデントバンド２４は、スカート壁６の下端を幾分越えて下方に延出している。
【００２８】
図４は、上述した容器蓋２を容器の口頸部に装着して口頸部を密封した状態を図示している。ガラス又はポリエチレンテレフタレートの如き適宜の合成樹脂から形成することができる容器３２は、上端が開口された略円筒形状の口頸部３４を具備している。かかる口頸部３４の外周面には、雄螺条３６とその下方に位置する係止あご部３８とが形成されている。かような口頸部３４の構成自体は周知であるので、口頸部３４の構成についての詳細な説明は本明細書においては省略する。
【００２９】
容器３２の口頸部３４に容器蓋２を装着して口頸部３４を密封する際には、口頸部３４に容器蓋２を被嵌し、容器蓋２を閉方向、即ち図４において上方から見て時計方向に回転せしめ、かくして容器蓋２の雌螺条１６を口頸部３４の雄螺条３６に螺合せしめる。雌螺条１６と雄螺条３６の螺合を進行せしめて図４に図示する状態にせしめる際には、口頸部３４の係止あご部３８が容器蓋２の係止手段２０に干渉し、従って容器蓋２のスカート壁６の下部が半径方向外方に幾分弾性変形せしめられて、係止手段２０が係止あご部３８を通過せしめられる。係止手段２０が係止あご部３８を完全に通過せしめられると、係止手段２０は図４に図示する如く元の状態に弾性的に復元せしめられる。容器蓋２におけるスカート壁６と環状タンパーエビデントバンド２４とを接続している複数個の橋絡部３０は、スカート壁６の外周面と環状タンパーエビデントバンド２４の内周面との間に介在せしめられているので、スカート壁６が半径方向外方に弾性的に変形されることによって橋絡部３０に過剰の応力が生成されることはなく、従って口頸部３４に容器蓋２を装着する際に橋絡部３０が破断されてしまう虞は実質上皆無である。口頸部３４に容器蓋２が所要とおりに装着されると、シール手段８の外側環状シール突条１０、中間環状シール突条１２及び内側環状シール突条１４が夫々口頸部３４の上端部外面、上面及び内面に密接せしめられ、かくして口頸部３４が密封される。口頸部３４に容器蓋２を所要とおりに装着した状態においては、環状タンパーエビデントバンド２４が、その張出部２６の内周面をスカート壁６の張出部２２の外周面に密着せしめた状態で周方向に連続して延びて、スカート壁６を囲繞している故に、スカート壁６の下端部が半径方向外方に弾性的に変形することは充分に抑制される。それ故に、係止手段２０と係止あご部３８との協働によって、容器蓋２が開方向、即ち図４において上方から見て反時計方向に相当な角度に渡って回転されて容器蓋２が上昇せしめられることは確実に防止され、従って後述するとおりにして橋絡部３０を破断することなく口頸部３４の密封が解除されてしまうことは確実に回避される。
【００３０】
容器３２の口頸部３４から容器蓋２を離脱せしめて口頸部３４を開封する際には、最初に、環状タンパーエビデントバンド２４に指を掛けてこれを上方又は下方に強制し、これによってスカート壁６とタンパーエビデントバンド２４を接続している橋絡部３０を破断せしめる。全ての橋絡部３０を破断せしめると、環状タンパーエビデントバンド２４はスカート壁６から離脱され、従って上方に移動せしめることによって充分容易に口頸部３４から離脱される。図５に図示する如く、スカート壁６の下端部から環状タンパーエビデントバンド２４が除去されると、スカート壁６の下端部には複数個のスリット１８が形成されている故に、スカート壁６の下端部は充分容易に半径方向外方に弾性的に変形することができる。従って、容器蓋２を開方向に回転せしめ、容器蓋２の雌螺条１６と口頸部３４の雄螺条３６との螺合を漸次解除して容器蓋２を上昇せしめると、スカート壁６の下端部が半径方向外方に弾性的に変形することによって、容器蓋２の係止手段２０も口頸部３４の係止あご部３８を乗り越えて上方に移動して、係止手段２０と係止あご部３８との協働係止作用が解除され、容器蓋２が口頸部３４から離脱せしられる。
【００３１】
而して、本発明に従って構成された容器蓋２については、次の事実も注目されるべきである。容器３２の内容物が炭酸ガスを含有した所謂炭酸飲料である場合、容器３２内には容器蓋２を上方に変位せしめんとする容器内圧が存在する。而して、図示の容器蓋２においては、図４に図示する如く、容器３２の口頸部３４に容器蓋２が所要とおりに装着されている状態においては、上記容器内圧に対する、容器蓋２の係止手段２０と口頸部３４の係止あご部３８との係止による保持力が、容器蓋２の雌螺条１６と口頸部３４の雄螺条３６との螺合による保持力よりも大きく設定されている。かような要件は、例えば、容器蓋２の係止手段２０を構成している突条の突出量及び横断面形状等を適宜に設定して係止手段２０と係止あご部３８との係止による保持力を所望値に設定すると共に、容器蓋２の雌螺条１６の所謂ねじ山高さ等を適宜に設定して雌螺条１６と雄螺条３８との螺合による保持力を所望値に設定することによって充足することができる。一方、図５に図示する如く、容器蓋２において橋絡部３０が破断されて環状タンパーエビデントバンド２４がスカート壁６から除去され、従ってスカート壁６の下端部が半径方向外方に充分容易に弾性変形することができるようにせしめられると、係止手段２０と係止あご部３８との係止による保持力は相当低減され、雌螺条１６と雄螺条３８との螺合による保持力よりも小さくなるように設定されている。
【００３２】
従って、容器蓋２において環状タンパーエビデントバンド２４をスカート壁６から除去する前の状態、即ち口頸部３４の未開封状態においては、容器内圧に対して容器蓋２は係止手段２０と係止あご部３８の係止によって充分高い所望保持力（容器３２自体の耐破断内圧よりは小さい容器内圧に対応する保持力）で保持される。容器内圧が何らかの理由により過剰に上昇して容器３２自体の耐破断内圧に接近した場合には、容器蓋２は口頸部３４に対して上昇せしめられて口頸部３４の密封が毀損され、これによって容器内圧が解放されて容器３２の破断が回避される。一方、容器蓋２によって口頸部３４が密封されている容器３２が消費者に渡った後においては、例えば、上述したとおりにして口頸部３４を開封した後に、内容物が全て消費されることなく残留せしめられた場合には、環状タンパーエビデントバンド２４が除去された容器蓋２を、その雌螺条１６を口頸部３４の雄螺条３６に螺合せしめることによって口頸部３４を再び一時的に密封することが少なくない。この場合には、容器３２自体が消費者によって取り扱われることによって局部的に損傷され、これに起因して容器３２自体の耐破断内圧が低下せしめられている虞があり、また口頸部３４が一旦開封された後においては、内容物が果汁等を含でいる時には内容物の腐敗等に起因して容器内圧が過剰に上昇せしめられてしまうことがある。然るに、図示の容器蓋２においては、容器蓋２において橋絡部３０が破断されて環状タンパーエビデントバンド２４がスカート壁６から除去されると、係止手段２０と係止あご部３８との係止による保持力は相当低減され、雌螺条１６と雄螺条３８との螺合による保持力よりも小さくなる故に、容器内圧が比較的低い所定値を越えて上昇すると容器蓋２が口頸部３４に対して上昇せしめられて口頸部３４の密封が解除され、従って容器自体の耐破断内圧が低下せしめられていても、容器３２が破断してしまうことが充分確実に回避される。
【００３３】
容器蓋２の雌螺条６と口頸部３４の雄螺条３６との螺合による、容器内圧に対する容器蓋２の保持力を比較的小さい値に設定するために、容器蓋２の雌螺条１６の所謂ねじ山高さを比較的低く設定した場合には、容器３２の口頸部３４に容器蓋２を所要とおりに装着する際に、容器蓋２を閉方向に回転せしめることなく、単に軸線方向下方に所要圧力で強制することによって、雌螺条１６が雄螺条３６を弾性的に乗り越えるようにせしめて両者を所要とおりに螺合せしめることもできる。かような装着様式は、容器蓋２を閉方向に回転せしめる通常の装着様式に比べて、著しく迅速に遂行することができる。
【００３４】
図６乃至図８には、本発明に従って構成された容器蓋の変形例が図示されている。全体を番号１０２で示す容器蓋においては、スカート壁１０６の内周面に形成されている係止手段１２０は、周方向に間隔をおいて配設された複数個の、更に詳しくは周方向に等間隔をおいて配設された１２個の、フラップ片から形成されている。フラップ片の各々は、スカート壁１０６の内周面に接続された基縁１２１から半径方向内方に向かって、容器１３２の口頸部１３４に形成されている雄螺条１３６に容器蓋１０２の雌螺条１１６を螺合せしめて口頸部１３４に容器蓋１０２を装着する際の容器蓋１０２の回転方向に対して反対方向（即ち図６において上方から見て反時計方向、図７において時計方向）に傾斜して延びている。図６から理解される如く、フラップ片の各々の上記基縁１２１は下方に向かって、口頸部１３４に容器蓋１０２を装着する際の容器蓋１０２の回転方向に対して反対方向（即ち図６において上方から見て反時計方向、図７において時計方向）に１０乃至２０度程度でよい傾斜角度αをなして傾斜して延びている。かようなフラップ片自体の形態は周知のものであり、従ってフラップ片自体の形態についての説明は本明細書においては省略する。図６及び図７から明確に理解されるとおり、隣接するスリット１１８間に夫々１個のフラップ片が形成されており、スリット１１８の各々はフラップ片を越えて上方に延びている。図８に図示する如く、容器１３２の口頸部１３４に容器蓋１０２が所要とおりに装着されると、係止手段１２０を構成するフラップ片の各々は口頸部１３４の係止あご部１３８の下面に係止せしめられる。図６乃至図８に図示する容器蓋１０２の、係止手段１２０以外の構成は、図１乃至図５を参照して説明した容器蓋２と実質上同一である。
【００３５】
図９乃至図１１には、本発明に従って構成された容器蓋の更に他の変形例が図示されている。全体を番号２０２で示す容器蓋においても、スカート壁２０６の内周面に形成されている係止手段２２０は、周方向に間隔をおいて配設された複数個の、更に詳しくは周方向に等間隔をおいて配設された１２個の、フラップ片から形成されている。フラップ片の各々は、スカート壁２０６の内周面の下端に接続された基縁２２１から半径方向内方に向かって上方に傾斜して延びている。フラップ片の各々の上記基縁２２１は、隣接するスリット２１８間を実質上水平に延びている。スリット２１８の各々はフラップ片を越えて上方に延びている。かようなフラップ片自体の形態も周知のものである故に、その詳細についての説明は本明細書においては省略する。図９及び図１１に図示する容器蓋２０２は、フラップ片の形態をの除けば、図６乃至図９に図示する容器蓋１０２と実質上同一である。
【００３６】
図１２乃至図１４は、本発明に従って構成された容器蓋の更に他の変形例を図示している。全体を番号３０２で示す容器蓋においては、スカート壁３０６の内周面に形成されている係止手段３２０は、周方向に間隔をおいて配設された複数個の、更に詳しくは周方向に等間隔をおいて配設された１２個の、ラチェット爪から形成されている。図１２及び図１３を参照することによって理解される如く、ラチェット爪の各々は、容器３３２の口頸部３３４に形成されている雄螺条３３６に容器蓋３０２の雌螺条３１６を螺合せしめて口頸部３３４に容器蓋３０２を装着する際の容器蓋３０２の回転方向に見て、緩やかな傾斜面である前面３２３と切り立った面である後面３２５とを有する。スカート壁３０６の内周面における接線に対して前面３２３がなす傾斜角度θ１は２０乃至５０度程度で、スカート壁３０６の内周面における接線に対して後面３２５がなす角度θ２は７０乃至９０度程度でよい。係止手段３２０を構成するラチェット自体の形態は周知のものであるので、その詳細な説明は本明細書においては省略する。図１２及び図１３から明確に理解されるとおり、隣接するスリット３１８間に夫々１個のラチェット片が形成されており、スリット３１８の各々はラチェット片を越えて上方に延びている。
【００３７】
係止手段３２０がラット爪から構成されている容器蓋３０２は、図１４に図示する如く、口頸部３３４の外周面に対応するラチェット爪３２７が形成されている形態の容器３３２に適用される。図示の容器３３２の口頸部３３４には、周方向に等間隔をおいて４個のラチェット爪３２７が形成されている。ラチェット爪３２７の各々は、口頸部３３４に形成されている雄螺条３３６に容器蓋３０２の雌螺条３１６を螺合せしめて口頸部３３４に容器蓋３０２を装着する際の容器蓋３０２に対する口頸部３３４の相対的回転方向（即ち図１３において時計方向）に見て、緩やかな傾斜面である前面３２９と切り立った面である後面３３１とを有する。口頸部３３４の外周面における接線に対して前面３２９がなす傾斜角度θ３は２０乃至５０度程度で、口頸部３３４の外周面における接線に対して後面３３１がなす角度θ４は７０乃至９０度程度でよい。容器蓋３０２の係止手段３２０を構成するラチェット爪に対応して口頸部３３４に形成されているラチェット爪３２７自体の形態も周知のものである故に、その詳細な説明は本明細書においては省略する。
【００３８】
容器蓋３０２を容器３３２の口頸部３３４に装着する際には、係止手段３２０を構成するラチェット爪の前面３２３と口頸部３３４のラチェット爪３２７の前面３２９との協働によって、スカート壁３０６が漸次半径方向外方に弾性変形されて係止手段３２０が口頸部３２４のラチェット爪３２７を乗り越えて通過する。口頸部３３４に容器蓋３０２が所要とおりに装着されると、図１４に図示する如く、口頸部３３４に形成されているラチェット爪３２７は容器蓋３０２のスカート壁３０６に形成されているスリット３１８内に位置せしめられる。そして、係止手段３２０を構成しているラチェット爪の後面３２５と口頸部３３４に形成されているラチェット爪３２７の後面３３１との協働によって、口頸部３３４に対して容器蓋３０２が開方向（即ち図１４において上方から見て反時計方向、図１３において時計方向）に回転することが阻止される。図１２乃至図１４に図示する容器蓋３０２における、係止手段３２０以外の構成は、図１乃至図５を参照して説明した容器蓋２と実質上同一である。
【００３９】
図１５乃至図１７には、本発明に従って構成された容器蓋の更に他の変形例が図示されている。全体を番号４０２で示す容器蓋においては、天面壁４０４の周縁からスカート壁４０６の上端部に至る領域に周方向に間隔をおいて複数個、更に詳しくは周方向に等間隔をおいて１２個の通気孔４４０が形成されている。更に、容器蓋４０２においては、環状タンパーエビデントバンド４２４の内周面には、周方向に間隔をおいて複数個、更に詳しくは周方向に等間隔をおいて６個の突出片４４２が形成されている。図１６を参照することによって明確に理解される如く、突出片４４２の各々は、環状タンパーエビデントバンド４２４の内周面に形成されている張出部４２６の下方に配置されており、張出部４２６の直下から下方に向かって半径方向内方に傾斜して突出せしめられている。環状タンパーエビデントバンド４２４の内周面に対する突出片４４２の傾斜角度βは３０乃至６０度程度でよい。上述した通気孔４４０及び突出片４４２が配設されている点を除けば、容器蓋４０２は図１乃至図５を参照して説明した容器蓋２と実質上同一である。
【００４０】
図１５乃至図１７に図示する容器蓋４０２においては、容器の口頸部を開封するために口頸部から容器蓋４０２を離脱せしめる開封操作の初期において、次のとおりの操作を遂行することができる。即ち、環状タンパーエビデントバンド４２４に指を掛けて上方に強制して複数個の橋絡部４３０を破断せしめ、環状タンパーエビデントバンド４２４を図１６に二点鎖線で示す位置まで上昇せしめる。環状タンパーエビデントバンド４２４のかような上昇の際に、複数個の突出片４４２はその上端から漸次半径方向外方に弾性的に変位せしめられて、スカート壁４０６の外周面に形成されている張出部４２２を通過せしめられる。そして、図１６に二点鎖線で示す位置まで上昇せしめられると、突出片４４２が元の状態に弾性的に復元せしめられる。かくすると、突出片４４２が張出部４２２に干渉されることによって、スカート壁４０６から分離された環状タンパーエビデントバンド４２４がスカート壁４０６に対して下降することが防止される。従って、一旦環状タンパーエビデントバンド４２４を図１６に二点鎖線で図示する位置まで上昇せしめた後においては、環状タンターエビデントバンド４２４を元の位置まで下降せしめて、破断された橋絡部４３０を覆い隠すことが阻止され、かくしてタンパーエビデント性が確保される。また、環状タンパーエビデントバンド４２４を図１６に二点鎖線で図示する位置まで上昇せしめた後においては、特に環状タンパーエビデントバンド４２４を操作することなく、容器蓋４０２の環状タンパーエビデントバンド４２４以外の部分を開方向に回転せしめて容器の口頸部から上方に離脱せしめれば、環状タンパーエビデントバンド４２４もスカート壁４０６と共に上昇せしめられて口頸部から離脱せしめられる。
【００４１】
更に、図１５乃至図１７に図示する容器蓋４０２においては、容器内圧が過剰に増大して容器の口頸部に対して容器蓋４０２が上昇せしめられ、口頸部の密封が解除された時には、容器内圧が通気孔４４０を通して解放される。
【００４２】
図１８及び図１９は、本発明に従って構成された容器と容器蓋との組合せの他の実施形態を、容器の口頸部に容器蓋を装着した状態で図示している。図１８及び図１９に図示する組合せにおいては、容器５３２の口頸部５３４の外周面に、周方向に間隔をおいて複数個の、更に詳しくは周方向に等間隔をおいて４個の干渉片５４４が形成されている。かかる干渉片５４４の各々は係止あご部５３８の下面に接続された上端から実質上鉛直に下方に延在せしめられている。干渉片５４４の各々は、図１９から明確に理解される如く、略三角形状の横断面形状を有する。干渉片５４４の各々の、容器５３２の口頸部５３４に形成されている雄螺条５３６に容器蓋５０２の雌螺条５１６を螺合せしめて口頸部５３４に容器蓋５０２を装着する際の、容器蓋５０２に対する口頸部５３４の相対的回転方向、即ち図１８において上方から見て反時計方向、図１９において時計方向に見て、前面５４６は緩やかな傾斜面をなし、上記相対的回転方向に見て後面５４８は切り立った面をなす。口頸部５３４の外周面における接線に対して前面５４６がなす傾斜角度θ１は３０乃至５０度程度でよく、口頸部５３４の外周面における接線に対して後面５４８がなす角度θ２は６０乃至８０度程度でよい。突出片５４４の先端面によって規定される仮想円の直径は、容器蓋５０２のスカート壁５０６における係止手段５２０を構成する突条が存在しない部分における内径と実質上同一乃至これより若干小さく設定されている。
【００４３】
図１８及び図１９に図示する組合せにおいては、更に、図１９を参照することによって明確に理解される如く、容器蓋５０２のスカート壁５０６の下端部内周面に形成されている係止手段５２０を構成している突条の前端部５５０（即ち容器５３２の口頸部５３４に形成されている雄螺条５３６に容器蓋５０２の雌螺条５１６を螺合せしめて口頸部５３４に容器蓋５０２を装着する際の、口頸部５３４に対する容器蓋５０２の相対的回転方向、即ち図１８において上方から見て時計方向、図１９において反時計方向に見て前端部）においては、突出量がスリット５１８から後方に向けて漸次増大せしめられている。係止手段５２０を構成している突条の前端部５５０が、スカート壁５０６の内周面における接線に対してなす傾斜角度γは、３０乃至７０度程度でよい。
【００４４】
図１８及び図１９に図示する組合せにおける容器５３２の口頸部５３４及び容器蓋５０２の、上述した点以外の構成は、図１乃至図５を参照して説明した容器３２の口頸部３４及び容器蓋２の構成と実質上同一である。
【００４５】
図１８及び図１９に図示する組合せにおいては、容器５３２の口頸部５３４に容器蓋５０２を被嵌して容器蓋５０２を閉方向、即ち図１８において上方から見て時計方向、図１９において反時計方向、に回転せしめて口頸部５３４の雄螺条５３６に容器蓋５０２の雌螺条５１６を螺合せしめる際には、容器蓋５０２の係止手段５２０が口頸部５３４の干渉片５４４に干渉される。更に詳述すると、係止手段５２０を構成している突条の傾斜前端部と干渉片５４４の緩やかな傾斜前面５４６との協働によって、容器蓋５０２のスカート壁５０６の下端部が弾性的に漸次半径方向外方に変形され、突条が干渉片５４４を周方向に通過せしめられる。そして、雌螺条５１６と雄螺条５３６とが充分に螺合されて口頸部５３４に容器蓋５０２が所要とおりに装着されると、口頸部５３４の干渉片５４４は、容器蓋５０２のスカート壁５０６に形成されているスリット５１８に対応して位置、即ち係止手段５２０を構成している突条の被存在部位に位置せしめられ、突条間のスリット５１８内に突出せしめられる。所望ならば、雌螺条５１６と雄螺条５３６との螺合の最終状態を規定する、それ自体は公知の螺合停止手段（図示していない）を雌螺条５１６及び／又は雄螺条５３６に形成して、雌螺条５１６と雄螺条５３６との所要螺合状態における口頸部５３４と容器蓋５０２との相互角度位置を充分精密に規制することもできる。容器５３２の口頸部５３４に容器蓋５０２が所要とおりに装着され口頸部５３４が密封されている状態においては、口頸部５３４に対して容器蓋５０２を開方向、即ち図１８において上方から見て反時計方向、図１９図において時計方向、への回転が、係止手段５２０と係止あご部５３８の協働に加えて、口頸部５３４の干渉片５４４の切り立った後面５４８と係止手段５２０を構成している突条の切り立った後面５５２との協働によって、充分確実に防止される。従って、橋絡部５３０を破断して環状タンパーエビデントバンド５２４をスカート壁５０６から分離することなく、容器蓋５０２を開方向に回転することが充分確実に阻止される。橋絡部５３０を破断せしめて環状タンパーエビデントバンド５２４をスカート壁５０６から分離せしめた後においては、スカート壁５０６の下端部は、そこに形成されているスリット５１８の存在に起因して充分容易に半径方向外方に弾性的に変位することができる故に、容器蓋５０２を開方向に回転せしめて口頸部５３４から離脱せしめることができる。
【００４６】
図２０及び図２１には、本発明に従って構成された容器と容器蓋との組合せの更に他の実施形態が、容器の口頸部に容器蓋を装着した状態で図示されている。図２０及び図２１に図示する組合せにおいては、容器６３２の口頸部６３４の外周面に、周方向に間隔をおいて複数個の、更に詳しくは周方向に等間隔をおいて４個の干渉片６４４が形成されている。かかる干渉片６４４は、係止あご部６３８に対して所定間隔をおいてその下方に配設されている。干渉片６４４の各々は先端に向かって厚さが漸次低減せしめられている薄板形状である。干渉片６４４の先端によって規定される仮想円の直径は、スカート壁６０６の内径よりも大きく、スカート壁６０６の外周面に形成されている張出部６２２の外径と略同一である。
【００４７】
図２０及び図２１に図示する組合せにおいては、更に、図２０参照することによって明確に理解される如く、容器蓋６０２におけるスカート壁６０６の最下端部、更に詳しくは係止手段６２０を構成している突条よりも下方の部分は、下方に向かって厚さが漸次低減せしめられている。
【００４８】
図２０及び図２１に図示する組合せにおける容器６３２の口頸部６３４及び容器蓋６０２の、上述した点以外の構成は、図１乃至図５を参照して説明した容器３２の口頸部３４及び容器蓋２の構成と実質上同一である。
【００４９】
図２０及び図２１に図示する組合せにおいては、容器６３２の口頸部６３４に容器蓋６０２を被嵌して容器蓋６０２を閉方向、即ち図２０において上方から見て時計方向、図２１において反時計方向、に回転せしめて口頸部６３４の雄螺条６３６に容器蓋６０２の雌螺条６１６を螺合せしめる際には、スカート壁６０６の最下端部が口頸部６３４の干渉片６４４に干渉される。干渉片６４４による干渉によってスカート壁６０６の最下端部は半径方向外方に弾性的に変位せしめられ、干渉片６４４を周方向に通過する。そして、雌螺条６１６と雄螺条６３６とが充分に螺合されて口頸部６３４に容器蓋６０２が所要とおりに装着されると、口頸部６３４の干渉片６４４は、容器蓋６０２のスカート壁６０６に形成されているスリット６１８に対応して位置せしめられ、スリット６１８内に突出せしめられる。容器６３２の口頸部６３４に容器蓋６０２が所要とおりに装着され口頸部６３４が密封されている状態においては、口頸部６３４に対して容器蓋６０２を開方向、即ち図２０において上方から見て反時計方向、図２１図において時計方向、への回転が、係止手段６２０と係止あご部６３８の協働に加えて、口頸部６３４の干渉片６４４とスカート壁６０６の最下端部においてスリット６１８の片側縁を規定している切り立った面との協働によって、充分確実に防止される。従って、橋絡部６３０を破断して環状タンパーエビデントバンド６２４をスカート壁６０６から分離することなく、容器蓋６０２を開方向に回転することが充分確実に阻止される。橋絡部６３０を破断せしめて環状タンパーエビデントバンド６２４をスカート壁６０６から分離せしめた後においては、スカート壁６０６の下端部は、そこに形成されているスリット６１８の存在に起因して充分容易に半径方向外方に弾性的に変位することができる故に、容器蓋６０２を開方向に回転せしめて口頸部６３４から離脱せしめることができる。
【００５０】
図２２及び図２３は、図２０及び図２１に図示する組合せの変形例を図示している。図２２及び図２３に図示する組合せにおいては、容器７３２の口頸部７３４の外周面に形成されている干渉片７４４は、略三角形状の横断面形状を有する。干渉片７４４の各々の、容器７３２の口頸部７３４に形成されている雄螺条７３６に容器蓋７０２の雌螺条７１６を螺合せしめて口頸部７３４に容器蓋７０２を装着する際の、容器蓋７０２に対する口頸部７３４の相対的回転方向、即ち図２２において上方から見て反時計方向、図２３において時計方向に見て、前面７４６は緩やかな傾斜面をなし、上記相対的回転方向に見て後面７４８は切り立った面をなす。口頸部７３４の外周面における接線に対して前面７４６がなす傾斜角度θ１は３０乃至５０度程度でよく、口頸部７３４の外周面における接線に対してに対して後面７４８がなす角度θ２は６０乃至８０度程度でよい。
【００５１】
図２２及び図２３に図示する組合せにおいては、更に、容器蓋７０２のスカート壁７０６の最下端部において下方に向かって漸次厚さを低減せしめることに代えて、容器７３２の口頸部７３４に形成されている雄螺条７３６に容器蓋７０２の雌螺条７１６を螺合せしめて口頸部７３４に容器蓋７０２を装着する際の、口頸部７３４に対する容器蓋７０２の相対的回転方向、即ち図２２において上方から見て時計方向、図２３において反時計方向に見て、スカート壁７０６の最下端部の前部を、その厚さがスリット７１８から後方に向けて漸次増大、換言すれば前方にスリット７１８に向けて漸次低減する傾斜面７５４にせしめている。
【００５２】
図２２及び図２３に図示する組合せにおいては、容器７３２の口頸部７３４に容器蓋７０２を被嵌して容器蓋７０２を閉方向、即ち図２２において上方から見て時計方向、図２３において反時計方向、に回転せしめて口頸部７３４の雄螺条７３６に容器蓋７０２の雌螺条７１６を螺合せしめる際には、スカート壁７０６の最下端部が口頸部７３４の干渉片７４４に干渉される。更に詳述すると、スカート壁７０６の最下端部における傾斜面７５４と干渉片７４４の緩やかな傾斜面７４６との協働によって、容器蓋７０２のスカート壁７０６の最下端部が弾性的に漸次半径方向外方に変形せしめられて、スカート壁７０６の最下端部が干渉片７４４を通過せしめられる。
【００５３】
図２２及び図２３に図示する組合せの上述した点以外の構成及び作用は、図２０及び図２１に図示する組合せの構成及び作用と実質上同一である
【００５４】
図２４及び図２５に図示する組合せは、図２２及び図２３に図示する組合せに次のとおりの変形を加えたものである。即ち、図２４及び図２５に図示する組合せにおいては、容器８３２の口頸部８３４の外周面に形成されている干渉片８４４の各々の横断面形状は、図１８及び図１９に図示する組合せにおける干渉片５４４と同様に、略三角形状である。干渉片８４４の各々の、容器８３２の口頸部８３４に形成されている雄螺条８３６に容器蓋８０２の雌螺条８１６を螺合せしめて口頸部８３４に容器蓋８０２を装着する際の、容器蓋８０２に対する口頸部８３４の相対的回転方向、即ち図２４において上方から見て反時計方向、図２５において時計方向に見て、前面８４６は緩やかな傾斜面をなし、上記相対的回転方向に見て後面８４８は切り立った面をなす。口頸部８３４の外周面における接線に対して前面８４６がなす傾斜角度θ１は３０乃至５０度程度でよく、口頸部８３４の外周面における接線に対して後面８４８がなす角度θ２は６０乃至８０度程度でよい。干渉片８４４の先端面によって規定される仮想円の直径は、容器蓋８０２のスカート壁８０６における最下端部の内径（更に詳しくは、次に言及する被干渉片が存在しない部分における内径）と実質上同一乃至これより若干小さく設定されている。
【００５５】
図２４及び図２５に図示する組合せにおいては、更に、スカート壁８０６の最下端部の厚さを変化せしめることに代えて、スカート壁８０６の最下端部内周面には、周方向に間隔をおいて複数個、更に詳しくは周方向に等間隔をおいて４個の被干渉片８５６が形成されている。被干渉片８５６の各々の横断面形状は略三角形状であり、容器８３２の口頸部８３４に形成されている雄螺条８３６に容器蓋８０２の雌螺条８１６を螺合せしめて口頸部８３４に容器蓋８０２を装着する際の、口頸部８３４に対する容器蓋８０２の相対的回転方向、即ち図２４において上方から見て時計方向、図２５において反時計方向に見て、前面８５８は緩やかな傾斜面をなし、上記相対的回転方向に見て後面８６０は切り立った面をなす。スカート壁８０６の最下端部内周面における接線に対して前面８５８がなす傾斜角度θ３は３０乃至５０度程度でよく、スカート壁８０６の最下端部内周面における接線に対して後面８６０がなす角度θ４は６０乃至８０度程度でよい。被干渉片８５６の先端面によって規定される仮想円の直径は、スカート壁８０６の内周面に配設されている係止手段８２０を規定している突条の先端によって規定される仮想円の直径と実質上同一でよい。
【００５６】
図２４及び図２５に図示する組合せにおいては、容器８３２の口頸部８３４に容器蓋８０２を被嵌して容器蓋８０２を閉方向、即ち図２４において上方から見て時計方向、図２５において反時計方向、に回転せしめて口頸部８３４の雄螺条８３６に容器蓋８０２の雌螺条８１６を螺合せしめる際には、容器蓋８０２におけるスカート壁８０６の最下端部内周面に配設された被干渉片８５６が口頸部８３４の外周面に配設された干渉片８４４に干渉される。更に詳述すると、被干渉片８５６の緩やかな傾斜前面８５８と干渉片８４４の緩やかな前面８４６との協働によって、容器蓋８０２のスカート壁８０６の最下端部が弾性的に漸次半径方向外方に変形され、被干渉片８５６が干渉片８４４を周方向に通過せしめられる。そして、雌螺条８１６と雄螺条８３６とが充分に螺合されて口頸部８３４に容器蓋８０２が所要とおりに装着されると、図２５に図示する如く、被干渉片８５６の切り立った後面８６０と干渉片８４４の切り立った後面８４８とが周方向に隣接して位置せしめられる。容器８３２の口頸部８３４に容器蓋８０２が所要とおりに装着され口頸部８３４が密封されている状態においては、口頸部８３４に対して容器蓋８０２を開方向、即ち図２４において上方から見て反時計方向、図２５図において時計方向、への回転が、係止手段８２０と係止あご部８３８の協働に加えて、口頸部８３４の干渉片８４４の切り立った後面８４８と被干渉片８５６の切り立った後面８６０との協働によって、充分確実に防止される。
【００５７】
図２４及び図２５に図示する組合せにおける上述した点以外の構成及び作用は、図２２及び図２３に図示する組合せの構成及び作用と実質上同一である。
【００５８】
【発明の効果】
本発明に従って構成された容器蓋及び容器と容器蓋との組合せにおいては、容器蓋における橋絡部の破断を伴うことなく容器の口頸部に対して容器蓋が相当角度回転せしめられて口頸部の密封が毀損されてしまうことが確実に防止される。
【００５９】
また、本発明に従って構成された容器蓋及び容器と容器蓋との組合せにおいては、容器蓋における橋絡部の破断強度を過剰に大きくして口頸部の開封の際の必要力を増大せしめることなく、口頸部に容器蓋を装着する際に橋絡部が破断されてしまうことが確実に防止される。
【００６０】
更に、本発明に従って構成された容器蓋及び容器と容器蓋との組合せにおいては、口頸部を開封する際には容器蓋の全体が口頸部から確実且つ容易に除去される。
【図面の簡単な説明】
【図１】本発明に従って構成された容器蓋の好適実施形態を、一部を断面（図３の線Ａ−Ａに沿った断面）で示す正面図。
【図２】図１に示す容器蓋の部分断面図（図３の線Ｂ−Ｂに沿った断面図）。
【図３】図１に示す容器蓋の底面図。
【図４】図１の容器蓋を容器の口頸部に所要とおりに装着した状態を、一部を断面で示す正面図。
【図５】図１の容器蓋を容器の口頸部に所要とおりに装着した後に、容器蓋における環状タンパーエビデントバンドをスカート壁から離脱せしめた状態を、一部を断面で示す正面図。
【図６】本発明に従って構成された容器蓋の変形例を、一部を断面（図７の線Ｃ−Ｃに沿った断面）で示す正面図。
【図７】図６に示す容器蓋の底面図。
【図８】図６に示す容器蓋を容器の口頸部に所要とおりに装着した状態を、一部を断面で示す正面図。
【図９】本発明に従って構成された容器蓋の他の変形例を、一部を断面（図１０の線Ｄ−Ｄに沿った断面）で示す正面図。
【図１０】図９に示す容器蓋の底面図。
【図１１】図９に示す容器蓋を容器の口頸部に所要とおりに装着した状態を、一部を断面で示す正面図。
【図１２】本発明に従って構成された容器蓋の更に他の変形例を、一部を断面（図１３の線Ｅ−Ｅに沿った断面）で示す正面図。
【図１３】図１２に示す容器蓋の底面を、これが装着された容器の口頸部の断面（図１４の線Ｆ−Ｆに沿った断面）と共に示す断面図。
【図１４】図１２に示す容器蓋を容器の口頸部に所要とおりに装着した状態を、一部を断面で示す正面図。
【図１５】本発明に従って構成された容器蓋の他の好適実施形態を、一部を断面（図１７の線Ｇ−Ｇに沿った断面）で示す正面図。
【図１６】図１５に示す容器蓋の部分断面図（図１７の線Ｈ−Ｈに沿った断面図）。
【図１７】図１５に示す容器蓋の底面図。
【図１８】本発明に従って構成された容器と容器蓋との組合せの好適実施形態を、容器の口頸部に容器蓋を所要とおりに装着した状態で、一部を断面で示す正面図。
【図１９】図１８の線Ｉ−Ｉに沿った断面図。
【図２０】本発明に従って構成された容器と容器蓋との組合せの他の好適実施形態を、容器の口頸部に容器蓋を所要とおりに装着した状態で、一部を断面で示す正面図。
【図２１】図２０の線Ｊ−Ｊに沿った断面図。
【図２２】本発明に従って構成された容器と容器蓋との組合せの更に他の好適実施形態を、容器の口頸部に容器蓋を所要とおりに装着した状態で、一部を断面で示す正面図。
【図２３】図２２の線Ｋ−Ｋに沿った断面図。
【図２４】本発明に従って構成された容器と容器蓋との組合せの更に他の好適実施形態を、容器の口頸部に容器蓋を所要とおりに装着した状態で、一部を断面で示す正面図。
【図２５】図２４の線Ｌ−Ｌに沿った断面図。
【符号の説明】
２：容器蓋
４：天面壁
６：スカート壁
１６：雌螺条
１８：スリット
２０：係止手段
２２：張出部
２４：環状タンパーエビデントバンド
２６：張出部
２８：切断線
３０：橋絡部
３２：容器
３４：口頸部
３６：雄螺条
３８：係止あご部
１０２：容器蓋
１０６：スカート壁
１１６：雌螺条
１１８：スリット
１２０：係止手段
１３２：容器
１３４：口頸部
１３６：雄螺条
１３８：係止あご部
２０２：容器蓋
２０６：スカート壁
２１８：スリット
２２０：係止手段
３０２：容器蓋
３０６：スカート壁
３１６：雌螺条
３１８：スリット
３２０：係止手段
３３２：容器
３３４：口頸部
３２７：ラチェット爪
３３６：雄螺条
４０２：容器蓋
４０４：天面壁
４０６：スカート壁
４２４：環状タンパーエビデントバンド
４３０：橋絡部
４２２：張出部
４４２：突出片
５０２：容器蓋
５０６：スカート壁
５１６：雌螺条
５１８：スリット
５２０：係止手段
５２４：環状タンパーエビデントバンド
５３２：容器
５３４：口頸部
５３６：雄螺条
５３８：係止あご部
５４４：干渉片
５４６：干渉片の前面
５４８：干渉片の後面
５５０：係止手段を構成する突条の前端部
６０２：スカート壁
６０６：スカート壁
６１６：雌螺条
６１８：スリット
６２０：係止手段
６２２：張出部
６２４：環状タンパーエビデントバンド
６３０：橋絡部
６３２：容器
６３４：口頸部
６３６：雄螺条
６３８：係止あご部
６４４：干渉片
７０２：容器蓋
７０６：スカート壁
７１６：雌螺条
７１８：スリット
７３２：容器
７３４：口頸部
７３６：雄螺条
７４４：干渉片
７４６：干渉片の前面
７４８：干渉片の後面
７５４：スカート壁の際下端部の傾斜面
８０２：容器蓋
８０６：スカート壁
８１６：雌螺条
８３２：容器
８３４：口頸部
８３６：雄螺条
８４４：干渉片
８４６：干渉片の前面
８４８：干渉片の後面
８５６：被干渉片
８５８：被干渉片の前面
８６０：被干渉面の後面
【図１】
0003908301.tif 000002
【図２】
0003908301.tif 000003
【図３】
0003908301.tif 000004
【図４】
0003908301.tif 000005
【図５】
0003908301.tif 000006
【図６】
0003908301.tif 000007
【図７】
0003908301.tif 000008
【図８】
0003908301.tif 000009
【図９】
0003908301.tif 000010
【図１０】
0003908301.tif 000011
【図１１】
0003908301.tif 000012
【図１２】
0003908301.tif 000013
【図１３】
0003908301.tif 000014
【図１４】
0003908301.tif 000015
【図１５】
0003908301.tif 000016
【図１６】
0003908301.tif 000017
【図１７】
0003908301.tif 000018
【図１８】
0003908301.tif 000019
【図１９】
0003908301.tif 000020
【図２０】
0003908301.tif 000021
【図２１】
0003908301.tif 000022
【図２２】
0003908301.tif 000023
【図２３】
0003908301.tif 000024
【図２４】
0003908301.tif 000025
【図２５】
0003908301.tif 000026